(57)【要約】【課題】識別センサから出力される値のばらつきにより、真券の受付性能と偽札の排除性能とを両立できない。【解決手段】紙幣識別装置を製造する過程において、調整基準媒体１０，２０が有する特徴に対し識別センサ４が出力する調整用識別情報が取得され、この調整用識別情報と、識別センサ４において予め定められた基準値データとに基づいて補正情報が算出され、基準値データと前記調整用識別情報とからなる情報と、前記補正情報とのうちの少なくともいずれか一方の情報が記憶部に記憶される初期調整が行われる。そして、判別制御回路８は初期調整で算出された補正情報を用いて、紙幣通路２に挿入された紙幣７の識別情報を補正して判別するものである。【選択図】図１
2008146123.tif 000002
【特許請求の範囲】
【請求項１】
紙幣通路と、
紙幣通路に付設され前記紙幣通路に挿入された紙幣の識別情報を検出する識別センサと、
この識別センサに接続されると共に、前記識別センサの検出した識別情報を判別する判別制御回路と、
この判別制御回路に接続された記憶部とを備え、
前記判別制御回路は、前記識別センサにおいて予め定められた基準値データと、初期調整時において調整基準媒体が有する特徴に対し前記識別センサが出力する調整用識別情報とに基づいて算出される補正情報を用いて、前記紙幣通路に挿入された紙幣の識別情報を補正して判別するとともに、
前記記憶部には、前記基準値データと前記調整用識別情報とからなる情報と、前記補正情報とのうちの少なくともいずれか一方の情報を記憶させた紙幣識別装置。
【請求項２】
基準値データは、予め定められた基準製品における前記調整基準媒体の識別情報を用いた請求項１記載の紙幣識別装置。
【請求項３】
前記識別センサの少なくとも一つは光学センサであり、
前記調整基準媒体は、少なくとも一部に識別対象紙幣の最も透過しやすい部分と透過しにくい部分に相当する加工が施された請求項１または２に記載の紙幣識別装置。
【請求項４】
前記識別センサの少なくとも一つは磁気センサであり、
前記調整基準媒体には、少なくとも一部に識別対象紙幣の磁気印刷に相当する磁性を持つように加工が施された請求項１または２に記載の紙幣識別装置。
【請求項５】
前記識別センサの少なくとも一つは微小変位センサであり、
前記調整基準媒体には、少なくとも一部に識別対象紙幣の印刷による表面凹凸に相当する凹凸加工が施された請求項１または２に記載の紙幣識別装置。
【発明の詳細な説明】
【技術分野】
【０００１】
本発明は、光学センサや磁気センサを用いた紙幣識別装置に関するものである。
【背景技術】
【０００２】
近年、自動販売機や券売機などで販売される商品の多様化と高額化に伴い、千円紙幣以外の高額紙幣を使用できる紙幣識別装置が広く使用されるようになってきた。特に高額紙幣を使用できる機器が一般的になりつつある。一方、複写機やカラープリンターなどＯＡ機器の進歩に伴い、これら高精度の複写装置を用いた偽造紙幣が行使される犯罪も増加傾向にあり、紙幣識別装置に対しては識別能力を一層向上させて犯罪を未然に防止することが求められている。
【０００３】
従来の紙幣識別装置について図８のブロック図を用いて説明する。図８において、４０は判別対象の紙幣であり、３８は紙幣が投入されたことを検知する投入口検知センサである。３４は紙幣を搬送するベルトで構成された搬送手段である。この搬送手段３４は、駆動手段３６によって駆動される。３５は紙幣４０の搬送量を検知する検知手段である。
【０００４】
従来の紙幣識別装置において紙幣を識別するための識別センサには、発光ダイオード３０Ａとフォトダイオード３０Ｂからなる光学センサ３１や磁気センサが用いられる。ここで、発光ダイオード３０Ａとフォトダイオード３０Ｂとは通路を挟んで対向して配置され、その間を通る紙幣４０の光学的な印刷パターンの透過量を検知する。
【０００５】
増幅回路３３は、フォトダイオード３０Ｂから出力された出力信号を増幅する。判別制御回路３７は、増幅回路３３と検知手段３５と投入口検知センサ３８とが接続され、増幅回路３３から得られた出力信号をディジタル量に変換するＡ／Ｄ変換機能と、紙幣４０の測定位置と、その測定位置における許容範囲データを格納する記憶機能を内蔵している。
【０００６】
ここでこのような従来の紙幣識別装置において、例えば光学センサ３１の出力は光学センサ３１の製造時における素子特性の不均一や、紙幣識別装置の組み立て時における光学センサ３１位置の位置ばらつきにより、製品毎に光学センサ３１から出力される出力特性が異なる。そこで紙幣識別装置においては、製品の製造時に光学センサ３１の出力値を一定水準に調整する初期調整が行われる。
【０００７】
この初期調整では、紙幣無しの状態における識別センサの出力を一定値に調整する。例えば増幅回路３３の増幅率を微調整するための高精度可変抵抗器などを用い、この抵抗器を調整することで識別センサの出力が一定値となるように調整することとなる。
【０００８】
そしてこのようにして調整された光学センサ３１によって、搬送された前記紙幣４０の予め定められた紙幣位置の特徴データが検知される。そして判別制御回路は、この光学センサ３１からの出力と記憶機能に設定した許容範囲データとを比較することにより紙幣を判別していた。
【０００９】
なお、この出願の発明に関連する先行技術文献情報としては、例えば、特許文献１が知られている。
【特許文献１】特開２００１−１２６１０８号公報
【発明の開示】
【発明が解決しようとする課題】
【００１０】
しかしながら従来の紙幣識別装置では、紙幣無しの状態における識別センサの出力を一定値に調整するだけであるので、製品毎に紙幣が無い状態でのセンサ情報値、紙幣の印刷が施されていない部分でのセンサ情報値、紙幣の印刷が施されている部分でのセンサ情報値の全てを目標とする値に近づけることができなかった。
【００１１】
そのため、紙幣の真贋を判定するための許容範囲データは、機器毎にばらつくセンサ情報値を考慮し、広く設定しなければならなかった。従って、本物の札（以後、真券と呼ぶ）の受付を優先すれば、偽札の排除が困難となり、偽札の排除性能を高めようとすれば、真券の受付率が下がり、真券の受付性能と偽札の排除性能とを両立できないという課題を有している。
【００１２】
そこで、本発明は上記従来の問題点を解決するものであり、高い真券の受付性能と、高い偽札の排除性能とを両立することができる紙幣識別装置を提供することを目的とするものである。
【課題を解決するための手段】
【００１３】
上記目的を達成するために本発明の紙幣識別装置における初期調整において、調整基準媒体が有する特徴に対し識別センサが出力する調整用識別情報が取得される。この調整用識別情報と、識別センサにおいて予め定められた基準値データとに基づいて補正情報が算出され、判別制御回路はこの補正情報を用いて、紙幣通路に挿入された紙幣の識別情報を補正して判別するものである。これにより所期の目的を達成できる。
【発明の効果】
【００１４】
本発明によれば、紙幣通路と、紙幣通路に付設され前記紙幣通路に挿入された紙幣の識別情報を検出する識別センサと、この識別センサに接続されると共に、前記識別センサの検出した識別情報を判別する判別制御回路と、この判別制御回路に接続された記憶部とを備え、前記判別制御回路は前記識別センサにおいて予め定められた基準値データと、初期調整時において調整基準媒体が有する特徴に対し前記識別センサが出力する調整用識別情報とに基づいて算出される補正情報を用いて、前記紙幣通路に挿入された紙幣の識別情報を補正して判別するとともに、前記記憶部には、前記基準値データと、前記調整用識別情報とからなる情報と前記補正情報とのうちの少なくともいずれか一方の情報を記憶させたものである。
【００１５】
つまり、調整基準媒体の有する特徴に対応したセンサ出力によって調整用識別情報を取得し、この調整用識別情報と基準値データとの比較情報とから識別センサ出力に対する補正情報を算出できる。これにより、センサから出力される信号の特性を基準値データの特性に近づけることが可能となる。従って、紙幣の識別時、判別制御回路はセンサ出力情報値が補正情報により補正された値を用いて識別するので、高い真券の受付性能と高い偽札の排除性能とを両立することができる紙幣識別装置を実現できる。
【発明を実施するための最良の形態】
【００１６】
（実施の形態１）
以下、本発明の実施の形態１における紙幣識別装置について図面を参照しながら説明する。図２は紙幣識別装置の外観図である。図３は図２のＡ−Ａ断面図である。
【００１７】
１は紙幣投入口であり、識別対象紙幣の厚み、幅を考慮した寸法となっている。２は紙幣が通る紙幣通路であり、３は紙幣を搬送する搬送手段（ベルト）である。４は識別センサであり、本実施の形態においては、光学センサと磁気センサとを含んでいる。投入口１から投入された紙幣は紙幣通路２内を搬送手段３によって搬送され、識別センサ４がこの搬送されてくる紙幣の位置毎の情報を読み取る。なお、識別センサとして、上記センサ以外に微小変位センサ等を加えても良い。
【００１８】
図１は本発明の実施の形態１における紙幣識別装置のブロック図である。図１において、光学センサは、発光素子４Ａ（ＬＥＤ）と受光素子４Ｂとからなる。受光素子４Ｂはフォトトランジスタまたはフォトダイオードからなり、発光素子４Ａと通路を挟んで互いに対向するように配置される。受光素子４Ｂの出力信号は増幅回路６Ａを介して、判別制御回路８（ＣＰＵ）に接続される。４Ｃは磁気センサであり、増幅回路６Ｂを介して判別制御回路８に接続される。発光素子を駆動するＬＥＤ駆動回路５は判別制御回路８に接続されており、複数色の光学センサを使用するときに点灯のタイミングを判別制御回路８によって制御する。なお、本実施の形態における増幅回路６Ｂに代えて対数増幅回路としても良く、光学センサは、反射型センサ構造にしても良い。
【００１９】
判別制御回路８は、Ａ／Ｄ変換機能、Ｄ／Ａ変換機能、演算機能および、紙幣の測定位置とその許容範囲データが格納された内部記憶部を備えている。そして増幅回路６Ａによって増幅された受光素子４Ｂの出力信号は、判別制御回路内部のＡ／Ｄ変換機能によって、光学センサ情報値として標本化される。同様に増幅回路６Ｂによって増幅された磁気検出素子の出力信号が、磁気センサ情報値として標本化される。判別制御回路８には外部記憶手段９（ＥＥＰＲＯＭであり記憶部の一例として用いた）が接続されている。なお、本実施の形態におけるＡ／Ｄ変換機能は、２５６段階の分解能を有する。
【００２０】
以上のように構成された本実施の形態の紙幣識別装置においても、製品生産時に識別センサ４の初期調整が行われる。この初期調整では、識別センサ４の出力値の調整が行われる。では以下、初期調整の方法について説明する。初期調整は、まず紙幣通路２に被検出物がない状態（無紙幣状態）において、識別センサ４から出力される値がディジタル値へと変換され、無紙幣時のセンサ情報値として外部記憶手段９へ記憶される。
【００２１】
次に調整基準媒体が被調整製品の紙幣投入口１から紙幣通路２へと挿入される。これにより検出センサは調整基準媒体が有する特徴を検知し、その特徴に対応した出力信号を判別制御回路８へ出力する。ここで調整基準媒体の有する特徴とは、識別センサが光学センサである場合には色の濃さのことであり、識別センサが磁気センサである場合には磁力のことであり、識別センサが微小変位センサである場合には厚みのことである。
【００２２】
判別制御回路８では、調整基準媒体に対するこれらの検出センサ出力をＡ／Ｄ変換機能によって調整用識別情報へと変換し、外部記憶手段９へ記憶させる。なお外部記憶手段９には、無紙幣時と調整基準媒体のそれぞれの特徴に対して、理想的、平均的な識別センサが出力する出力値が基準データとして格納されている。ここで基準データとは、調整基準媒体の有する特徴に対して判別制御回路８が本来入力されるべき値であり、逆に言えば調整基準媒体に対して識別センサ４が本来出力すべき値である。
【００２３】
そしてこのように構成された紙幣識別装置で実際に紙幣を識別する場合、判別制御回路８は、無紙幣時のセンサ情報値と、調整用識別情報と基準データとに基づく補正情報を用いて、識別センサ４が紙幣を検知して出力した出力信号を補正する。このようにすることによって、識別センサの出力は、無紙幣状態と調整基準媒体が挿入された２つの状態において調整されることとなるので、識別センサ４のばらつきに関わらず識別センサ４から出力される信号の特性を基準データの特性に近づけることが可能となる。そして紙幣の判定時には、判別制御回路８が補正情報により補正されたセンサ情報値を用いて紙幣を判定するので、高い真券の受付性能と高い偽札の排除性能とを両立することができる紙幣識別装置を実現できる。また、識別センサ４の出力を予め定められた信号レベルに近づけるために、高精度な可変抵抗器などを必要としないので、その部材自体のコストに加え、可変抵抗器の調整作業も不要となり、安価な紙幣識別装置を実現できる。
【００２４】
なお、本実施の形態における初期調整では、紙幣を検知した場合に検知センサ４からの出力が最大となるべき紙幣特徴と、最小となるべき紙幣特徴との２つの特徴により調整を行っている。これにより、識別センサ４から出力される信号の特性をさらに基準データの特性に近づけることが可能となる。従ってさらに高い真券の受付性能と高い偽札の排除性能とを両立することができる。
【００２５】
そしてこのように、２つの特徴により調整を行っているので、増幅回路６Ａに代えて対数増幅回路を用いたような場合においても、紙幣が無い状態でのセンサ情報値、紙幣の印刷が施されていない部分でのセンサ情報値、紙幣の印刷が施されている部分においてセンサ情報値を目標とする値に近づけることができる。
【００２６】
ここで２つの特徴とは、例えば検知センサが光センサである場合、紙幣の最も薄い部分の色と最も濃い部分の色のことである。また、例えば検出センサが磁気センサである場合には、紙幣の磁気のない部分と磁気の最も強い部分の磁力のことであり、検出センサが微小変位センサである場合には、紙幣の最も厚い部分と最も薄い部分との特徴のことである。
【００２７】
また本実施の形態ではこの２つの特徴をひとつの調整基準媒体上に形成している。これにより、１種類のセンサに対する初期調整は、１枚の調整基準媒体を挿入するだけで行える。従って、調整時の工数を少なくできるので、安価な紙幣識別装置を実現できる。
【００２８】
さらに本実施の形態では、初期調整の段階で調整用識別情報の値と基準データとが外部記憶手段９に記憶させられる。さらに判別制御回路８は、これらの値から補正情報を算出し、その補正情報も外部記憶手段９へ記憶させている。これにより紙幣を識別する度に補正情報を算出する必要が無く、紙幣の判定をすばやく行うことができる。またこのようにすれば、識別センサ４の経時変化による出力値変化に対して容易に対応することも可能となる。つまり、基準データも格納されているので、市場に設置された状態において、再度初期調整を行えば、そのときの識別センサ４の出力値に応じた補正値を容易に設定することができるためである。なおこの設定のためには、例えば判別制御回路８に初期設定の処理を行わせるためのスイッチ等を設けておけばよい。そして市場に設置された状態において、このスイッチにより初期設定モードへと切替え、調整基準媒体を挿入することによって、再度初期設定の処理を行うことが可能となる。
【００２９】
ここで本実施の形態では、初期調整の段階で調整用識別情報の値と基準データも外部記憶手段９に記憶させたままとしたが、これは初期調整によるセンサ情報値や基準データから予め算出した補正情報のみを外部記憶手段９に記憶させても良い。この場合、市場において初期調整を行えなくさせることができる。従って、防犯性の高い紙幣識別装置を実現できることとなる。また、記憶させるデータが少ないので、その分外部記憶手段９のメモリ容量を少なくしても良い。もちろん紙幣を識別する度に、センサ情報値と基準データとから補正情報を算出しても構わない。
【００３０】
次に本実施の形態において、各センサに対する初期調整について説明する。まずは光学センサの初期調整について説明する。図４は調整基準媒体１０のイメージ図である。図４に示すように調整基準媒体１０は、光学センサが識別対象とする紙幣の印刷の無い部分を読み取ったときのセンサ情報値に相当する材質部分（以後、光学明部１０Ａと呼ぶ）と、紙幣印刷の最も濃い印刷部分を読み取った時のセンサ情報値に相当する加工（印刷）が施された部分（以後、光学暗部１０Ｂと呼ぶ）を持ち合わせている。
【００３１】
そして初期調整においてこの調整基準媒体１０が被調整製品へ挿入され、受光素子４Ｂから光学明部１０Ａと光学暗部１０Ｂとに対応する出力信号が判別制御回路８へ出力される。判別制御回路８では、これらの調整基準媒体１０に対するセンサ出力がＡ／Ｄ変換機能によってセンサ情報値（調整用識別情報の一例として用いた）へと変換される。そして、この光学明部１０Ａと光学暗部１０Ｂとに対するセンサ情報値が外部記憶手段９へ記憶される。ここで外部記憶手段９には、受光素子４Ｂに対する基準データも記憶させている。
【００３２】
図５は初期調整段階で調整基準媒体１０を被調整製品へ投入したときに得られたセンサ情報値の特性グラフである。縦軸は、受光素子４Ｂの情報値であり、Ａ／Ｄ変換機能により０から２５５の値に標本化されている。数値が大きい程、光の透過量が多いことを示す。横軸は、判別制御回路８による読込パルスを示している。ここで、搬送速度と読込パルス間隔から読込パルスと調整基準媒体１０の位置関係が決定されるものであり、例えば搬送速度が１００ＭＭ／Ｓで、読込パルスタイミングが１０ＭＳ間隔であれば、１パルスは１ＭＭに相当し調整基準媒体のセンサ情報値を１ＭＭ間隔で検出していることになる。
【００３３】
初期調整によって外部記憶手段９には、無紙幣時の光学センサ情報値（Ｙ１）、光学明部の光学センサ情報値（Ｙ２）、光学暗部の光学センサ情報値（Ｙ３）、光学無紙幣部の基準データ（Ｘ１）、光学明部の光学基準データ（Ｘ２）、光学暗部の光学基準データ（Ｘ３）とが、予め記憶される。
【００３４】
そして判別制御回路８は、これらの値から補正情報を算出するが、本実施の形態では無紙幣時と光学明部との間での補正情報と、光学明部と光学暗部との間での補正情報とをそれぞれに算出する。まず、無紙幣時と光学明部との間での補正情報（Ｃ１）の算出は、無紙幣時の光学センサ情報値（Ｙ１）、光学明部の光学センサ情報値（Ｙ２）および光学無紙幣部の基準データ（Ｘ１）と光学明部の光学基準データ（Ｘ２）とから算出する。
【００３５】
【数１】
2008146123.tif 000003
【００３６】
次に、光学明部と光学暗部との間での補正情報（Ｃ２）の算出は、光学明部の光学センサ情報値（Ｙ２）、光学暗部の光学センサ情報値（Ｙ３）および光学明部の光学基準データ（Ｘ２）と光学暗部の光学基準データ（Ｘ３）とから算出する。
【００３７】
【数２】
2008146123.tif 000004
【００３８】
そして本実施の形態における初期調整では、これらの補正情報（Ｃ１）、（Ｃ２）の算出と、外部記憶手段９への記憶までが行われる。
【００３９】
次に、このように初期調整された紙幣識別装置で実際の紙幣を判定する手順を説明する。まず判別制御回路８は、実際の紙幣に対して検出されたセンサ情報値（Ｙ２’）が光学明部の光学センサ情報値（Ｙ２）以上か、あるいは光学明部の光学センサ情報値（Ｙ２）より小さいかを判定する。そしてセンサ情報値（Ｙ２’）が光学センサ情報値（Ｙ２）以上であった場合に、判別制御回路８はセンサ情報値（Ｙ２’）は補正情報（Ｃ１）を用いて補正し、補正された光学センサ情報値（Ｅ１）を求める。
【００４０】
【数３】
2008146123.tif 000005
【００４１】
逆にセンサ情報値（Ｙ２’）が光学センサ情報値（Ｙ２）より小さい場合に、判別制御回路８はセンサ情報値（Ｙ２’）は補正情報（Ｃ２）を用いて補正し、補正された光学センサ情報値（Ｅ２）を求める。
【００４２】
【数４】
2008146123.tif 000006
【００４３】
そして判別制御回路８は、この補正された光学センサ情報値（Ｅ１）あるいは補正された光学センサ情報値（Ｅ２）と、この判別制御回路８内の記憶機能に記憶されたその測定位置における許容範囲データとを比較して紙幣の真偽を判定する。
【００４４】
ではこのような紙幣識別装置において、補正された光学センサ情報値（Ｅ１）の具体的な計算例を示す。例えば無紙幣時の光学センサ情報値（Ｙ１）が２２０であり、光学明部の光学センサ情報値（Ｙ２）が８８であり、光学暗部の光学センサ情報値（Ｙ３）が４４であり、光学無紙幣部の基準データ（Ｘ１）が２００であり、光学明部の光学基準データ（Ｘ２）が８０であり、光学暗部の光学基準データ（Ｘ３）が４０である場合を例にとって説明する。なおこのときの補正情報（Ｃ１）、（Ｃ２）の値は共に１．１となる。
【００４５】
そして例えば、紙幣識別時に読み取った光学センサ情報値（Ｓ１）が“１００”である場合は以下のようになる。この光学センサ情報値（Ｓ１）の値が光学センサ情報値（Ｙ２）以上であるので、光学センサ情報値（Ｓ１）は補正情報（Ｃ１）を用いて補正され、補正した光学センサ情報値（Ｅ１）は９０．９となる。なおこのように、算出した値が整数にならないような場合には、近似値を用いる。従って、補正した光学センサ情報値（Ｅ１）は９１となる。つまり、補正前の光学センサ情報値（Ｓ１）をそのまま用いると、光学明部の光学基準データ（Ｘ２）より透過量が２０カウント高いと判断されてしまうが、検出した光学センサ情報（Ｓ１）を初期調整時に設定された補正情報により補正することにより、いま検出した光学センサ情報は基準データの明部レベルよりも透過量が１１カウント高い識別センサ情報値であると補正して識別することが可能となる。
【００４６】
別例として、紙幣識別時に読み取った光学センサ情報値（Ｓ１）が、“７３”である場合には、以下のようになる。この光学センサ情報値（Ｓ１）が光学明部のセンサ情報値（Ｙ２）より小さいので、光学センサ情報値（Ｓ１）は補正情報（Ｃ２）を用いて補正され、補正した光学センサ情報値（Ｅ２）は６６となる。つまり、補正前の光学センサ情報値（Ｓ１）をそのまま用いると、光学明部の光学基準データ（Ｘ２）より透過量が７カウント低いと判断されてしまうが、検出した光学センサ情報（Ｓ１）を初期調整時に設定された補正情報により補正することにより、いま検出した光学センサ情報は基準データの明部レベルよりも透過量が１４カウント低い識別センサ情報値であると補正して識別することが可能となる。
【００４７】
以上の説明においては、基準データと製品センサ情報値が、無紙幣時、明部、暗部の比率が一定の場合について説明をしているが実際には一定比率ではない。よって高精度の可変抵抗器などを用いて増幅回路６Ａを微調整し、例えば明部レベルを一定にしたとしても暗部レベルの製品毎に発生するばらつきを防ぐことはできない。その場合においても、光学明部のセンサ情報値と光学暗部のセンサ情報値との間において、色調に対するセンサ情報値に補正をかけることにより、より精度よく判定することが可能となる。従って、紙幣の色調を精度良く識別することができるので、真券の受入特性も偽札の排除能力も共に非常に高い紙幣識別装置を実現できる。
【００４８】
なお、ここでは光学明部の光学センサ情報値（Ｙ２）や光学暗部の光学センサ情報値（Ｙ３）が光学明部の光学基準データ（Ｘ２）や光学暗部の光学基準データ（Ｘ３）よりも大きい場合について、事例を示したが、これは逆の場合も同じ方法で算出することができる。以上のように光学明部の光学センサ情報値（Ｙ２）や光学暗部の光学センサ情報値（Ｙ３）と光学明部の光学基準データ（Ｘ２）や光学暗部の光学基準データ（Ｘ３）との上下に関わらず、調整用識別情報と基準データに基づき補正することで、基準データのセンサ情報値の特性に近づけることができる。
【００４９】
次に磁気センサ４Ｃに対する初期調整を説明する。図６は調整基準媒体２０（磁気調整用）のイメージ図である。この磁気に対する調整基準媒体２０は、磁気調整用として識別センサが識別対象紙幣の磁気の無い印刷部分を読み取った時のセンサ情報値に相当する材質部分２０Ａ（以後、磁気無部と呼ぶ）と、最も磁気の強い磁気印刷部分を読み取ったときのセンサ情報値に相当する磁性体を持つように加工された部分２０Ｂ（以後、磁気有部と呼ぶ）を持ち合わせている。
【００５０】
この初期調整時においても光学の初期調整と同様に、磁気センサ４Ｃにおける前記調整基準媒体２０を投入した時の磁気無部２０Ａのセンサ情報値（Ｍ１）と、磁気有部２０Ｂでのセンサ情報値（Ｍ２）と、調整基準媒体２０を使った時の磁気無部の基準データ（Ｌ１）、磁気有部の基準データ（Ｌ２）、およびそれらから算出された補正情報とを外部記憶手段９に記憶させられる。
【００５１】
図７は調整基準媒体２０を調整時に投入したときに得られる磁気センサ情報値（調整用識別情報の一例として用いた）の特性グラフである。ここで縦軸は、磁気センサの情報値であり、Ａ／Ｄ変換機能により０から２５５の値に標本化されている。磁気が無いときが最も値が大きく、磁気を感知したレベルが高いほどセンサの標本値は低い値を示す。ここで、横軸については、光学センサと同じであるので説明を省略する。なお磁気の場合には紙幣無し状態と磁気明部２０Ａでのセンサ情報値（（Ｍ１）とで差が小さい。従って、本実施の形態において磁気センサ４Ｃに対しては、磁気無部２０Ａのセンサ情報値（Ｍ１）と磁気有部２０Ｂのセンサ情報値（Ｍ２）との間のみ補正を行う。
【００５２】
初期調整段階において、まずこれらの磁気センサ情報値を用いて補正情報（Ｄ１）を算出する。そして本実施の形態では、この補正情報（Ｄ１）も外部記憶手段９に記憶させられる。
【００５３】
【数５】
2008146123.tif 000007
【００５４】
次に、このように初期調整された紙幣識別装置で実際の紙幣を判定する手順を説明する。判別制御回路８は、補正情報（Ｄ１）を用いて、実際の紙幣に対して検出された磁気センサ情報値（Ｓ２）を補正し、補正された磁気センサ情報値Ｆ１を求める。
【００５５】
【数６】
2008146123.tif 000008
【００５６】
そして判別制御回路８は、この補正された磁気センサ情報値（Ｆ１）と、この判別制御回路８内の記憶機能に記憶されたその測定位置における許容範囲データとを比較して紙幣の真偽を判定する。
【００５７】
ではこのような紙幣識別装置において、補正された磁気センサ情報値（Ｆ１）の具体的な計算例について説明する。たとえば、磁気無部２０Ａの磁気センサ情報値（Ｍ１）が２３０であり、磁気有部２０Ｂの磁気センサ情報値（Ｍ２）が５０であり、調整基準媒体２０を使った時の磁気無部の基準データ（Ｌ１）が２３５であり、磁気有部の基準データ（Ｌ２）が１００である場合を例にとって説明する。このとき補正情報（Ｄ１）は、１．３３となる。
【００５８】
そして例えば、補正前の磁気センサ情報値（Ｓ２）が“８５”である場合、補正した磁気センサ情報値Ｆ１の値は、１２６となる。つまり、基準データにおける磁気有部より遥かに強い磁気を示すデータが製品で得られたとしても、そのデータを補正してやることにより、あたかも標準品で測定した時のセンサ情報値に近づけることが可能となる。
【００５９】
以上のように各識別センサ情報値を基準データ特性に近づけることができるので、判別制御回路８が紙幣の真贋を判別する時には判別制御回路８の内部記憶部に記憶された紙幣の測定位置とその許容範囲データは、製品毎にばらつくセンサ情報値を考慮することなく範囲設定できるので、真券はより受付けやすく、偽券はより排除しやすい設定範囲データとすることができる。
【００６０】
なお、本実施の形態１で説明している外部記憶手段９に記憶させておく基準データを一定としているが、現実は調整基準媒体１０自身の劣化や加工上のばらつきも生じる。その場合に基準データを固定データとしていれば、調整基準媒体１０の加工や材質のばらつきは直接製品の補正精度に影響を及ぼす。しかし、この場合も、紙幣位置における許容範囲を決める時に使用した基準製品を使うことで解決できる。つまり、この基準製品に調整基準媒体１０を投入したときのセンサ情報値を個々の製品の基準データとして外部記憶手段９に記憶させ、同一の基準調整媒体１０を用いて個々の製品におけるセンサ情報値を製品値として外部記憶手段９に記憶させる。こうすれば基準調整媒体１０の多少の加工ばらつきや劣化が生じても基準製品の特性に近づくように補正することができるので基準調整媒体１０の選別などの手間が省け経済的である。
【００６１】
なお、本実施の形態１で説明している調整基準媒体１０，２０は説明の便宜上分けて説明しているが、各材質部分１０Ａ，２０Ａ、加工部分１０Ｂ，２０Ｂは得られる光学、磁気センサ情報値で紙幣に相当する特性が出せれば、同一にすることが可能である。その場合は調整回数を１度で行えるので、調整作業の工数が少なくできる。従って、低価格な紙幣識別装置を実現できる。例えばこれは、調整基準媒体の材質を紙幣の透かし部と同等レベルになるようにしたものを用い、１０Ｂ，２０Ｂに相当する加工部分を磁気トナーインクで着色した物を使えば、同じ領域で光学と磁気の両方の調整が可能である。また調整基準媒体１０に光学調整用の領域１０Ａ，１０Ｂと磁気調整用の領域２０Ａ，２０Ｂを同時に持たせることも可能である。
【００６２】
さらに、本実施の形態１で説明している調整基準媒体１０，２０は、各材質部分１０Ａ，２０Ａ、加工部分１０Ｂ，２０Ｂだけでなく、１０Ｂより５０％透過しやすい光学暗部分、２０Ｂより５０％磁気の弱い磁気加工部などを段階的に細かくしたものを複数設けておくことも可能である。この場合外部記憶手段９にこの調整基準媒体１０における基準データと、初期調整時にこの調整基準媒体１０のセンサ情報値を記憶させることによって、該当区間における補正量がより精度を増し、完全な線形特性、傾きを持たない識別センサ４においても、より基準データの特性に近づけることが可能である。
【００６３】
さらにまた、本実施の形態１で説明している磁気センサ４Ｃを別のセンサに応用することも可能である。例えば紙幣のインキ盛上りによる紙面の凹凸を検出する識別センサとして、微小変位センサを用い、調整基準媒体１０は、真券紙幣凹凸に相当する凹凸加工を施しておき、この調整基準媒体１０における製品のセンサ情報値と基準データを外部記憶手段９に記憶させておくことで、基準値データの特性に近づけることが可能である。
【産業上の利用可能性】
【００６４】
本発明の紙幣識別装置は、紙幣の特徴を測定する識別センサの製品毎のばらつきを補正計算によって低減させることで、紙幣の真贋をより正確に行うことができるという効果を有し、遊技機や自動販売機用として利用できる。
【図面の簡単な説明】
【００６５】
【図１】本発明の実施の形態１におけるブロック図
【図２】同実施形態における紙幣識別装置の斜視図
【図３】同実施形態における紙幣識別装置の断面図
【図４】同実施形態における光学センサ調整基準媒体の上面図
【図５】同実施形態における光学センサ情報値の概念図
【図６】同実施形態における磁気センサ調整基準媒体の上面図
【図７】同実施形態における磁気センサ情報値の概念図
【図８】従来の識別装置のブロック図
【符号の説明】
【００６６】
４Ａ  発光素子
４Ｂ  受光素子
４Ｃ  磁気センサ
５  ＬＥＤ駆動回路
６Ａ  受光素子４Ｂ出力信号増幅回路
６Ｂ  磁気センサ４Ｃ出力信号増幅回路
７  識別対象紙幣
８  判別制御回路
９  外部記憶手段
１０，２０  調整基準媒体
【図１】
2008146123.tif 000009
【図２】
2008146123.tif 000010
【図３】
2008146123.tif 000011
【図４】
2008146123.tif 000012
【図５】
2008146123.tif 000013
【図６】
2008146123.tif 000014
【図７】
2008146123.tif 000015
【図８】
2008146123.tif 000016